(57)【要約】  小児用安全パッケージ(１００)は最上部(１６)および基部(１８)を備えるスリーブ(１４)から形成され、そのうちの少なくとも１つはスリーブ(１４)の外壁である。パッケージ(１００)の内容に接近することを容易にするための放出機構(２０)が外壁(１６)に配置される。少なくとも１つの最外パネル(６２)を有するデコイカバー(６０)が放出機構(２０)を覆い隠すように外壁(１６)に対して配置される。パッケージ(１００)はロック機構によってスリーブ(１４)の内側に保持されるインサート(１２)を含むことができ、このロック機構は放出機構(２０)によって切り離される。デコイカバー(６０)は、デコイカバー(６０)の度々の相次ぐ取り外しおよび再取り付けを容易にするように外壁(１６)に取り付けられる。デコイカバー(６０)は、最外パネル(６２)と平面状態に配置される１つまたは複数の追加パネル(６４)をさらに含むことができる。
2009528087.tif 000002
【特許請求の範囲】
【請求項１】
放出機構(２０)が内部に配置される少なくとも１つの外壁(１６)を有するスリーブ(１４)と、
前記放出機構(２０)の上方に配置されるデコイカバー(６０)と、
を備えることを特徴とするパッケージ(１００)。
【請求項２】
前記デコイカバー(６０)が、繰り返される一連の取り外しおよび再装着を容易となるよう、前記外壁(１６)に取り付けられることを特徴とする請求項１に記載のパッケージ(１００)。
【請求項３】
ブリスターカード(１２)が前記放出機構(２０)の作動時に少なくとも部分的に取り外し可能であるように、前記スリーブ(１４)の内側に配置される前記ブリスターカード(１２)をさらに備えることを特徴とする請求項１に記載のパッケージ(１００)。
【請求項４】
前記デコイカバー(６０)は、前記外壁から前記外方パネルの分離を引き起こすように適合され、最外パネル（６２）から延在するタブ(Ｔ)を有する最外パネル(６２)を備えることを特徴とする請求項１に記載のパッケージ(１００)。
【請求項５】
前記放出機構(２０)は、偏向するように適合された部材を備えることを特徴とする請求項１に記載のパッケージ(１００)。
【請求項６】
前記デコイカバー(６０)は、前記外壁(１６)と類似の最外パネル(６２)を含むことを特徴とする請求項１に記載のパッケージ(１００)。
【請求項７】
前記デコイカバー(６０)は、最外パネル(６２)と、分離可能な面接触状態で前記最外パネル(６２)と関連する少なくとも１つの追加パネル(６４)とを備えることを特徴とする請求項１に記載のパッケージ(１００)。
【請求項８】
前記デコイカバー(６０)は、タブ(Ｔ)を有する最外パネル(６２)を備え、このタブ(Ｔ)は、前記最外パネル(６２)から延在し、前記外壁(１６)から前記最外パネル(６２)の分離を引き起こすように適合されることを特徴とする請求項２に記載のパッケージ(１００)。
【発明の詳細な説明】
【技術分野】
【０００１】
関連出願
本出願は、その全体が参照により本明細書に組み込まれている、２００６年２月２３日に出願した米国特許出願第６０／７７６,０２１号明細書の優先権を主張するものである。
【０００２】
本発明は、一般に、品目または製品を貯蔵しかつ小出しするための小児用安全パッケージに関し、より詳細には、本発明はロック機構、放出機構、および放出機構を覆い隠すデコイカバー(decoy cover)を含むパッケージに関するものである。
【背景技術】
【０００３】
大多数の小児用安全パッケージは、パッケージの内容に接近するために認識に基づく思考、力、および／または器用さなどの大人の技能を必要とする放出機構を備えるロック機構を頼りにしている。しかし、力を必要とする放出機構はより高齢の大人にとってこのパッケージを接近し難いものにする場合がある。そのうえ、認識に基づく思考または器用さを必要とする放出機構は小児が偶然に作動させることもある。
【０００４】
関連するロック機構および放出機構は特に、インサートを利用するパッケージに有用である。例えば、多くの薬剤は、スリーブに挿入されかつロック機構によってスリーブに確保されるブリスターカードに包装される。この種のブリスターカードは、プラスチックシートで形成されるバブルを有し、バブルは紙層または紙箔によって密封される。紙層または紙箔は、対応するバブルから１回の服用量を放出する典型的な手段として穴をあけられ、または破断される。一般に、ロック機構のための放出機構が作動すると、挿入されたブリスターカードをスリーブから部分的にまたは完全に取り外すことができ、その結果パッケージの内容が部分的にまたは完全に露出される。
【発明の開示】
【発明が解決しようとする課題】
【０００５】
当業界では、パッケージの放出機構が作動すると特にその内容を露出することができる、ますます小児に安全なパッキングに対する要求が依然としてある。
【課題を解決するための手段】
【０００６】
本発明は、小児用安全パッケージ用のデコイカバーを提供することによって先行技術の欠点を克服するものであり、この小児用安全パッケージでは、パッケージの内容に接近するために小児が乗り越えるべき追加の障壁が創り出され、一方で大人の使用が容易になり、製造に関して低コストが維持される。デコイカバーはパッケージの外壁に配置される放出機構を含むパッケージに適用することができ、この放出機構はパッケージの内容に接近するのに使用される。
【０００７】
本発明の１つの態様では、パッケージは少なくとも１つの外壁を有するスリーブから形成される。パッケージの内容に接近することを容易にするための放出機構は外壁に配置される。最外パネルを有するデコイカバーは放出機構を覆い隠すように外壁に対して配置される。
【０００８】
本発明の更なる態様では、パッケージは外壁を有するスリーブから形成され、インサートがロック機構によってパッケージの内側に保持される。インサートを少なくとも部分的に取り外すことを容易にするための放出機構は外壁に配置される。デコイカバーは放出機構を覆い隠すように外壁に対して配置される。
【０００９】
本発明の他の態様では、デコイカバーは度々の相次ぐ取り外しおよび再取り付けを容易にするように外壁に取り付けられる。
【００１０】
前に述べたことは、本発明の態様および特徴のいくつかについて広く輪郭を描いたものであり、本発明のさまざまな潜在的な適用の単なる例示であるに過ぎないものと解釈されたい。他の有益な成果は、開示された情報を異なる方法で適用することによって、または開示された実施形態のさまざまな態様を組み合わせることによって得ることができる。したがって、本発明の他の態様およびより包括的な理解は、請求項によって規定される本発明の範囲に加えて、添付の図面と共に使用される例示的な実施形態の詳細な説明を参照することによって得ることができる。
【発明を実施するための最良の形態】
【００１１】
必要に応じて、本発明の詳細な実施形態が本明細書において開示されている。開示された実施形態は、さまざまな形状および他の形状、ならびにそれらの組合せを具現化できる本発明の単なる例示に過ぎないことを理解しなければならない。本明細書において使用されるように、単語「例示的な(exemplary)」は、図示、見本、モデル、またはパターンとして役立つ実施形態を指すように広範囲に使用される。図は必ずしも一定の尺度で描かれるとは限らず、いくつかの特徴は特別の構成要素の詳細を示すように誇張されまたは最小限度にすることができる。他の例では、良く知られている構成要素、システム、材料、または方法は本発明を分かりにくくすることを避けるために詳細に説明されなかった。したがって、本明細書において開示されている特定の構造の詳細および機能の詳細は限定するものとして解釈されるべきではなく、単に請求項の根拠として、および本発明をさまざまに使用する当業者を教示するための代表的な根拠として解釈されるべきである。
【００１２】
次いで図面を参照すると、同じ符号はいくつかの図を通して同じ要素を示し、各図面は、本発明による小児用安全パッケージの例示的な実施形態のさまざまな態様のいくつかを示す。一般的に説明すると、基本パッケージはブリスターカードおよび外側スリーブを含む。簡潔のために本明細書において、外側スリーブは単にスリーブと呼ばれる場合がある。ブリスターカードは基本パッケージを形成するようにロック機構によって外側スリーブに保持される。ブリスターカードは放出機構によって外側スリーブから放出することができる。本発明の教示により、デコイカバーは、放出機構を覆いかつ別様に覆い隠すように外側スリーブの外壁に配置され、小児がパッケージの内容に接近することをより困難にする。これはパッケージの小児用安全特性を向上させ、または増大させる。
【００１３】
図１および図２はブリスターカード１２の形のインサートを用いて互いにスリーブ１４を形成するための要素についての例示的な実施形態を示し、本発明の教示により小児用安全パッケージ１０を最後に形成することができる。外側スリーブ１４は、スリーブ１４の外壁を形成する最上部１６および基部１８を含む。図２では、インサート１２、最上部１６、および基部１８の配向は要素の特徴のすべてをより明確に示すために図１と比べて上下を逆にされ、かつ１８０°回転されている。最上部１６および基部１８は一体に連結することができ、外側スリーブ１４は任意の適切な方法で、かつ一般に容器またはパッケージを形成するのに適切な任意の材料から形成することができる。例えば、外側スリーブ１４はプラスチックで成形することができ、あるいは、外側スリーブを立てるように折り曲げられる板紙ブランク、またはそれの組合せ等から形成することができる。
【００１４】
ブリスターカード１２は１つまたは複数の物品を含むことができるブリスター３０を有する。ここに、教示の目的であって限定するものではないが、物品は数回分の投薬量である。ブリスター３０は、ブリスターカード１２が外側スリーブ１４内で摺動する際に外側スリーブ１４の内側の形状構成による妨害を避けるように２つの列３２でブリスターカード１２に配置される。図示されるブリスターカード１２は、下でさらに説明するように、移動止めを受け入れるように設計される開口３４をさらに含む。ブリスターカード１２は、伝統的な板紙スリーブで販売されているブリスターカードでは普通なことであるが、強さおよび厚みを有する同様の材料から構成される。
【００１５】
最上部１６および基部１８は、ブリスターカード１２を選択的に配置し、保持し、かつ放出するように、あるいはロック機構および放出機構を別様に形成するように設計される要素を含む。図示された放出機構は外側スリーブ１４に一体に形成される押しボタン２０を含む。図示された実施形態の押しボタン２０は本質的に、偏向させることができるばね負荷された部材である。押しボタン２０はＵ字形溝２１によって最上部１６に画定され、この溝２１は最上部１６を完全に通過する。押しボタン２０は弾性のリビングヒンジ(living hinge)部２２によって偏向を許容することができ、このリビングヒンジ部２２は押しボタン２０の支持端に配置される。自由端２４は、押しボタン２０の支持端に対向する押しボタン２０の端部として画定される。
【００１６】
図示されたロック機構は、押しボタン２０の自由端２４に隣接する移動止め２９を含む。移動止め２９は最上部１６の内側表面から内部に延在し、移動止め２９の上部表面は上に向かって傾斜する。より詳細には、移動止め２９の上部表面の最も高い部分が押しボタン２０に最も接近している。ロック機構は、開口４６から内部に延在するフラットスプリング４８などの係合するための手段をさらに含む。開口４６は基部１８に配置される。係合するための他の手段にはリブ、板ばね、ダガースプリング(dagger spring)等があり、これらは圧縮力を働かせる。
【００１７】
他の要素が係止スリーブからブリスターカード１２を部分的に引っ込めることを容易にするように設けられる。切抜き２８がブリスターカードの一部を露出するように最上部１６の外縁に設けられ、その場合にはこのブリスターカードは把持することができる。リブ５６が最上部１６の内側表面に随意に含まれる。最上部１６の内側のリブ５６は外側スリーブ１４の内側にブリスターカード１２を摺動することを容易にする。また、ブリスターカード１２の係合を容易にする押しボタン２０の内側表面上にリブ５８がある。基部１８はリテーナ５４を含み、これによりブリスターカード１２は、いったん外側スリーブ１４内に挿入されると外側スリーブ１４から容易に完全には取り外すことができない。リテーナ５４は基部１８の開口から内部に延在する。
【００１８】
いくつかの実施形態では、最上部１６および基部１８は外側スリーブ１４の組立てを容易にする要素をさらに含むことができる。例えば図示のように、最上部１６は中空円筒体５０を含み、基部１８はピン５１を含む。各円筒体５０はそれぞれのピン５１に対応し、これにより、各ピン５１がそれぞれの円筒体５０に受け入れられるように、外側スリーブ１４は形成される。ブリスターカード１２はスリーブ１４の中へ挿入することができ、またはスリーブ１４の組立て中にスリーブ１４に配置することができる。完全に形成されたスリーブ１４が図３および図４に示されている。
【００１９】
スリーブ１４を形成する場合、ブリスターカード１２が実質的に完全に挿入されるにつれて、移動止め２９が開口３４の中に受け入れられるまで、移動止め２９の傾斜した上部表面はブリスターカード１２が移動止め２９の上で摺動し、スプリング４８を偏向することを可能にする。移動止め２９が開口３４に受け入れられると同時に、スプリング４８は最上部１６に抗してブリスターカード１２の一部を押し込み、開口３４の中に移動止め２９を保持する。それによってブリスターカード１２は外側スリーブ１４に取り付けられてパッケージ１０を形成する。
【００２０】
ブリスターカード１２は延在することができ、あるいは押しボタン２０を押し下げ、同時に外側スリーブ１４の開口からブリスターカード１２を引っ張ることによって外側スリーブ１４から一部を取り外すことができる。押しボタン２０を押し下げることにより基部１８に向かってブリスターカード１２を移動させ、これにより移動止め２９は開口３４から切り離され、スプリング４８は偏向される。それによって、ブリスターカード１２は移動止め２９により阻止されることなく外側スリーブから延在することができる。ブリスターカード１２は、開口３４がリテーナ５４によって係合されるまで外側スリーブ１４から引き続き取り外すことができる。
【００２１】
図３は小児用安全パッケージ１００の例示的な実施形態を示し、デコイカバー６０は、本発明により押しボタン２０を覆いまたは別様に覆い隠すように取り付けられる。デコイカバー６０はただ１つのパネルであることができ、このパネルは放出機構の上方に脱着自在に取り付けられる最外パネル６２として役立つ。例えば、パネル６２は接着剤によって接着されるステッカーの形であることができる。外側スリーブ１４を形成するのに使用される材料、デコイカバー６０を形成するのに使用される材料、および接着剤のタイプは、デコイカバー６０が外側スリーブ１４に度々相次いで取り付けられ、外側スリーブ１４から取り外され得るように選択することができる。ある例示的な実施形態では、デコイカバー６０を形成するのに使用される材料は実質的に不可入性であるように選択され、これにより小児は放出機構に係合するようにデコイカバー６０を介して押すことができない。この例示的な実施形態では、デコイカバー６０は外側スリーブ１４の上面全体を実質的に覆うに足る大きさである。しかし、デコイカバー６０は押しボタン２０を覆うのに適切である任意のサイズであることができる。追加の実施形態では、偽装材料がデコイカバー６０を形成するのに使用される。例えば、デコイカバー６０が取り付けられる外側スリーブ１４の外壁１６を形成するのに使用される材料に実質的に視覚的に類似する材料は、外側スリーブ１４の放出機構をカムフラージュするのに使用することができる。
【００２２】
最外カバーパネル６２はタブＴを含むことができる。各カバーフラップの末端は接着剤によって外壁１６に脱着自在に取り付けることができ、これによりタブＴは外側スリーブ１４に脱着自在に接着することができる。それによって、デコイカバー６０は押しボタン２０を覆う。タブＴにより、外側スリーブ１４の表面からデコイカバー６０を引っ張るように最外パネル６２の持ち上げを開始することができ、その結果ユーザは押しボタン２０に接近することができる。
【００２３】
次いで図４を参照すると、小児用安全パッケージ１００の他の例示的な実施形態が示されており、ここでデコイカバー６０は、最外パネル６２と外側スリーブ１４の外壁１６との間に挟み込まれた少なくとも１つの追加パネル６４を含む。この実施形態では、各カバーフラップ６２、およびカバーフラップ６４の第１の縁は外壁１６にヒンジのような形に取り付けられる。多カバーフラップがユーザに製品情報、指令、あるいは他のテキストまたはグラフィックを提供するのに使用することができる。
【００２４】
追加の実施形態では、デコイカバーは実質的な剛性材料から形成され、外側スリーブおよびデコイカバーはデコイカバーを取り付けかつ外側スリーブから放出することができる機械要素を含む。例えば、デコイカバーは外側スリーブのある縁に沿って蝶番式に取り付けられるドアであることができる。ドアの末端は、ラッチ、止め具、スナッピング機構、Ｖｅｌｃｒｏ（登録商標）、移動止め、および開口装置等のような機械的機構を備える外側スリーブの別の縁に取り付けることができる。さらなる例示的な実施形態では、デコイカバーは溝の中で摺動するドアであることができる。
【００２５】
ある程度、デコイカバーの有効性の一部は幼い子供と大人との間の認識に基づく技能差を頼りにしている。小児は通常、問題を解決する際に科学的手法を使用しない。すなわち、彼らは自分が直面する問題に関する仮説を立てかつ試験することはない。実際に、小児の問題を解決する振舞いは、いわゆる当たり移行パターン(win-shift pattern)を示す。換言すれば、幼い子供は通常、繰り返して正しくない解決策を試み、偶然に正しい解決策を見つけた後にただ正しい解決策に移るに過ぎない。したがって、追加の小児用安全策は正しい解決策を隠しまたは偽装することによって実現することが可能であり、これにより正しい解決策は試みられることさえないであろう。
【００２６】
このように、デコイカバーにより小児はパッケージの内容に接近するために偶然の発見という追加の段階を通ることが必要となる。したがって、例えば、デコイカバーがパッケージの放出機構を偽装するのに使用され、かつその放出機構が器用さを必要とする場合、小児は、パッケージの放出機構をまず偶然に発見し、次いでそのうえ、パッケージの内容に接近するために偶然に放出機構を作動させなければならないであろう。この場合、パッケージは、放出機構を発見しない小児、および放出機構を発見するけれども正確には放出機構を作動させない小児を含めて、より多数の小児に対して安全である。
【００２７】
本発明の範囲は図１〜図４に示すパッケージの例示的な実施形態に限定されるものではない。むしろ、本発明は、外側スリーブから構成物を放出するための外壁から接近できる放出機構を含む、外側スリーブを有する任意のパッケージに適用できる。
【００２８】
法は、本特許請求の範囲についてのあらゆる可能な実施形態を図示しかつ教示することを要求しておらず、かつこれを経済的な見地から禁止している。したがって、上に記述した実施形態は本発明の原理を明確に理解するために記述した実施例の単なる例示的な図示に過ぎない。本特許請求の範囲の範囲から逸脱することなく、上に記述した実施形態に対して変形、改変、および結合を行うことができる。このような変形、改変、および結合のすべてはこの開示の範囲および添付の特許請求の範囲によって本明細書に含まれる。
【図面の簡単な説明】
【００２９】
【図１】スリーブおよびインサートを形成するための要素を含む、先行技術の小児用安全パッケージの分解図である。
【図２】図１の小児用安全パッケージの他の分解図である。
【図３】本発明によるインサートを備える小児用安全パッケージについての例示的な実施形態の透視図である。
【図４】本発明によるインサートを備える小児用安全パッケージについての他の例示的な実施形態の透視図である。
【符号の説明】
【００３０】
１０    パッケージ
１２    ブリスターカード、インサート
１４    外側スリーブ
１６    外壁、最上部
１８    基部
２０    押しボタン、放出機構
２１    Ｕ字形溝
２２    リビングヒンジ部
２４    自由端
２８    切抜き
２９    移動止め
３０    ブリスター
３２    列
３４    開口
４６    開口
４８    フラットスプリング
５０    中空円筒体
５１    ピン
５４    リテーナ
５６    リブ
５８    リブ
６０    デコイカバー
６２    最外パネル、カバーフラップ
６４    追加パネル、カバーフラップ
１００    小児用安全パッケージ
Ｔ    タブ
【図１】
2009528087.tif 000003
【図２】
2009528087.tif 000004
【図３】
2009528087.tif 000005
【図４】
2009528087.tif 000006
【国際調査報告】
2009528087.tif 000007
2009528087.tif 000008
2009528087.tif 000009